(57)【要約】【課題】  レーザドライバに生じる発熱による光学素子の位置ずれを防止し、レーザドライバの発熱による光学特性への影響を抑制することができる光ヘッド装置を提供すること。【解決手段】  光源としてのレーザ発光素子２、３を有する光学系３１と、レーザ発光素子２、３を駆動するレーザドライバ２２と、光学系３１が搭載されるフレーム１５と、光学系３１の一部を保護するためフレーム１５に固定されるカバー３２とを備える光ヘッド装置１は、更に、レーザドライバ２２に生じる発熱を放散する放熱板３３を備え、この放熱体３３は、カバー３２と別体で構成されている。【選択図】      図６
2005332465.tif 000002
【特許請求の範囲】
【請求項１】
光源としてのレーザ発光素子を有する光学系と、前記レーザ発光素子を駆動するレーザドライバと、前記光学系が搭載されるフレームと、前記光学系の少なくとも一部を保護するため前記フレームに固定されるカバーとを備え、光ディスクの記録及び再生の少なくともいずれか一方を行う光ヘッド装置において、
前記レーザドライバに生じる発熱を放散する放熱体を備え、該放熱体は、前記カバーと別体で構成されていることを特徴とする光ヘッド装置。
【請求項２】
前記カバーは、ステンレス製の金属板であり、前記放熱体は、銅またはアルミ製の金属板であることを特徴とする請求項１記載の光ヘッド装置。
【請求項３】
前記放熱体は、前記レーザドライバに生じる発熱を吸収する吸熱部と、該吸熱部で吸収された吸熱を放散する放熱部とを備え、該放熱部の少なくとも一部が前記光ディスク側に配置されていることを特徴とする請求項１記載の光ヘッド装置。
【請求項４】
前記放熱体は、前記レーザドライバに生じる発熱を吸収する吸熱部と、該吸熱部で吸収された吸熱を放散する放熱部と、前記フレームに固定される固定部とを備え、該固定部においてのみ、前記フレームに接触することを特徴とする請求項１記載の光ヘッド装置。
【請求項５】
前記放熱体は、前記レーザドライバに生じる発熱を吸収する吸熱部と、該吸熱部で吸収された吸熱を放散する放熱部と、前記フレームに固定される固定部とを備え、前記放熱部を挟んで前記吸熱部と前記固定部とが配設されていることを特徴とする請求項１記載の光ヘッド装置。
【請求項６】
前記放熱体は金属板を曲げ加工で形成した放熱板であり、該放熱板は、展開状態で、一端側に前記吸熱部が配設されるとともに、他端側に前記固定部が配設されていることを特徴とする請求項４または５記載の光ヘッド装置。
【発明の詳細な説明】
【技術分野】
【０００１】
本発明は、ＣＤやＤＶＤなどの光ディスクの記録、再生に用いられる光ヘッド装置に関する。更に詳しくは、光ヘッド装置が備えるレーザ発光素子を駆動するレーザドライバの放熱構造に関する。
【背景技術】
【０００２】
ＣＤやＤＶＤ等の光ディスクの記録、再生に用いられる光ヘッド装置は、光源としてのレーザ発光素子を有する光学系と、レーザ発光素子を駆動するレーザドライバと、光学系が搭載されるフレームと、光学系を保護するためフレームに固定されるカバーなどを備えている。
【０００３】
この種の光ヘッド装置では、光学系を保護するためのカバーは、一般にステンレス製の金属板から形成されている。そして、このカバーを用いて、レーザドライバに生じる発熱を放散している。すなわち、従来の光ヘッド装置では、レーザドライバの放熱板を兼用したカバーが使用されている。図７から９を用いて、具体的に、従来の光ヘッド装置の構成を説明する。
【０００４】
図７に示すように、従来の光ヘッド装置１０１は、光源としてのレーザ発光素子１０２と、レーザ発光素子１０２を駆動するため、回路基板１０３上に設けられたレーザドライバ１０４と、レーザ発光素子１０２を有する光学系（詳細は図示省略）が搭載されて固定されるフレーム１０５とを備えている。そして、図８に示すように、フレーム１０５には、光学系を保護するため、ステンレス鋼板からなるカバー１０６が取付ねじ１０８によって固定されている。
【０００５】
カバー１０６は、図８から明らかなようにフレーム１０５の底面側の大半部分を覆うように固定されており、このカバー１０６によって、光学系を構成する光学素子が覆われている。また、図９に示すように、カバー１０６は、伝熱性と弾性とを有する伝熱シート１０７を介してレーザドライバ１０４に接触している。従って、レーザドライバ１０４で生じた発熱は、伝熱シート１０７を介してフレーム１０５に放散されるようになっており、カバー１０６は、レーザドライバ１０４の放熱板としての機能を備えている。
【発明の開示】
【発明が解決しようとする課題】
【０００６】
従来の光ヘッド装置１０１の構成を採用した場合には、カバー１０６がレーザドライバ１０４の放熱板としての機能を有していることから、レーザドライバ１０４の温度上昇に伴い、カバー１０６の温度が上昇する。このカバー１０６は、光学系が搭載されたフレーム１０５の底面側の大半部分を覆っているため、カバー１０６の温度上昇に伴って、フレーム１０５全体の温度も上昇する。また、カバー１０６の温度上昇に伴って、カバー１０６に覆われるように配置された光学素子の温度も上昇する。
【０００７】
ここで、近年の光ディスクの高記録密度化や記録速度の高速化に伴い、レーザ発光素子を駆動するレーザドライバに生じる発熱量が増加している。発熱量が増加しているため、フレーム１０５全体の上昇温度や、カバー１０６に覆われるように配置された光学素子の上昇温度も高くなってきており、その結果、光ヘッド装置１０１の光学特性に影響を与えてしまうという問題が顕在化してきている。すなわち、フレーム１０５の温度上昇等によって、光学系を構成する光学素子の固定位置にずれが発生し、光ヘッド装置１０１の光学特性に影響を与えてしまうという問題が顕在化してきている。
【０００８】
そこで、本発明の課題は、レーザドライバに生じる発熱による光学素子の位置ずれを防止し、レーザドライバの発熱による光学特性への影響を抑制することができる光ヘッド装置を提供することにある。
【課題を解決するための手段】
【０００９】
上記の課題を解決するため、本発明では、光源としてのレーザ発光素子を有する光学系と、前記レーザ発光素子を駆動するレーザドライバと、前記光学系が搭載されるフレームと、前記光学系の少なくとも一部を保護するため前記フレームに固定されるカバーとを備え、光ディスクの記録及び再生の少なくともいずれか一方を行う光ヘッド装置において、前記レーザドライバに生じる発熱を放散する放熱体を備え、該放熱体は、前記カバーと別体で構成されていることを特徴とする。
【００１０】
本発明では、レーザドライバに生じる発熱を放散する放熱体が、光学系の少なくとも一部を保護するためにフレームに固定されるカバーとは別体で構成されている。そのため、カバーと別体で構成された放熱体によってレーザドライバに生じる発熱が放散されることになる。従って、光学系を適切に保護すべく、従来のように、フレームの底面側の大半部分を覆うようにカバーを形成しても、フレーム全体の温度上昇や、カバーに覆われるように配置された光学素子の温度上昇を抑制することができる。
【００１１】
本発明において、前記カバーは、ステンレス製の金属板であり、前記放熱体は、銅またはアルミ製の金属板であることが好ましい。この場合には、剛性のあるステンレス板によって、光学系が適切に保護されるとともに、放熱性の高い銅板またはアルミ板によってレーザドライバに生じる発熱を効果的に放散することができる。
【００１２】
本発明において、前記放熱体は、前記レーザドライバに生じる発熱を吸収する吸熱部と、該吸熱部で吸収された吸熱を放散する放熱部とを備え、該放熱部の少なくとも一部が前記光ディスク側に配置されていることが好ましい。この場合には、光ディスクの回転によって対流が発生し、吸熱部で吸収された吸熱を放熱部で効果的に放散することができる。
【００１３】
本発明において、前記放熱体は、前記レーザドライバに生じる発熱を吸収する吸熱部と、該吸熱部で吸収された吸熱を放散する放熱部と、前記フレームに固定される固定部とを備え、該固定部においてのみ、前記フレームに接触することが好ましい。こうすることで、固定部以外に、放熱体とフレームとの接触部分がないことから、フレーム全体の温度上昇を抑制することができる。
【００１４】
本発明において、前記放熱体は、前記レーザドライバに生じる発熱を吸収する吸熱部と、該吸熱部で吸収された吸熱を放散する放熱部と、前記フレームに固定される固定部とを備え、前記放熱部を挟んで前記吸熱部と前記固定部とが配設されていることが好ましい。フレームに固定される固定部では、放熱体とフレームとが接触し、放熱体の熱がフレームへ伝達される。しかし、放熱部を挟んで吸熱部と固定部とを配設することで、吸熱部で吸収された吸熱は放熱部で放熱されて、固定部への熱の伝達量は少なくなる。その結果、フレームへ伝達される熱量を減少させることができる。
【００１５】
本発明において、前記放熱体は金属板を曲げ加工で形成した放熱板であり、該放熱板は、展開状態で、一端側に前記吸熱部が配設されるとともに、他端側に前記固定部が配設されていることが好ましい。放熱板は、展開状態で、一端側に吸熱部が配設されるとともに、他端側に固定部が配設されていることから、吸熱部と固定部とが放熱板上で離れた位置に配設されることになる。そのため、吸熱部で吸収された吸熱の固定部への伝達量は少なくなる。その結果、放熱板とフレームとが接触する固定部においても、放熱板からフレームへ伝達される熱量を抑制することができる。
【発明の効果】
【００１６】
以上説明したように、本発明における光ヘッド装置では、レーザドライバに生じる発熱を放散する放熱体が、光学系の少なくとも一部を保護するためにフレームに固定されるカバーとは別体で構成されている。そのため、カバーと別体で構成された放熱体によってレーザドライバに生じる発熱が放散され、従来のように、フレームの底面側の大半部分を覆うようにカバーを形成しても、フレーム全体の温度上昇や、カバーに覆われるように配置された光学素子の温度上昇を抑制することができる。その結果、レーザドライバに生じる発熱による光学素子の位置ずれを防止し、レーザドライバの発熱による光学特性への影響を抑制することができる。
【発明を実施するための最良の形態】
【００１７】
以下、本発明を実施するための最良の形態を図面に基づいて説明する。
【００１８】
図１は、本発明の実施の形態にかかる光ヘッド装置をトラッキング方向から見た斜示図である。図２は、図１に示す光ヘッド装置をジッタ方向から見た斜示図である。図３は、図１に示す光ヘッド装置の光学系の構成を説明する説明図である。図４は、図１に示す光ヘッド装置のカバーを取り外した状態での底面を示す底面図である。図５は、図１に示す光ヘッド装置のトラッキング方向の側面を示す側面図である。図６は、図１に示す光ヘッド装置の底面を示す底面図である。
【００１９】
（光ヘッド装置の構成）
本形態にかかる光ヘッド装置１は、ＣＤやＤＶＤ等の光ディスク３０に対する情報記録や情報再生を行うものであり、以下に説明する光学系３１等が搭載されるフレーム１５を備えている。このフレーム１５は、光ディスク記録再生装置本体（図示省略）に対して相互に平行となるように取り付けられた２本のガイドシャフト２４、２５に沿って摺動可能に取り付けられている。尚、本明細書においては、光ディスク３０の半径方向（トラッキング方向）をＸ方向、光ディスク３０の接線方向（ジッタ方向）をＹ方向、光ディスク３０の直交方向（フォーカシング方向）をＺ方向と定義する。
【００２０】
光ヘッド装置１における光学系３１は、光源として、ＣＤ用の７８０ｎｍ〜８００ｎｍの長波長レーザ光（第１のレーザ光）を出射する第１のレーザ発光素子２と、ＤＶＤ用の６３０ｎｍまたは６５０ｎｍの短波長レーザ光（第２のレーザ光）を出射する第２のレーザ発光素子３とを備えている。
【００２１】
本形態における光学系３１では、第１のレーザ光及び第２のレーザ光は、光路合成用光学素子であるプリズム６によって、光ディスク３０へ向かう共通光路１４へ導かれるようになっている。共通光路１４には、第１のレーザ光及び第２のレーザ光の一部を光ディスク３０に向けて反射するハーフミラー７と、ハーフミラー７からの反射光を平行光にするコリメータレンズ８と、コリメータレンズ８からの出射光を光ディスク３０に向けて立ち上げる立上げミラー９と、コリメータレンズ８で平行光にされたレーザ光を光ディスク３０に収束させる対物レンズ１０とが、この順番で配置されている。
【００２２】
第１のレーザ発光素子２から出射された第１のレーザ光を共通光路１４に導くにあたって、第１のレーザ発光素子２からプリズム６に向かう光路上には、第１のレーザ光を３ビームに分割するグレーティング４と、３ビームに分割されたレーザ光の発散角を変換するリレーレンズ５とがこの順番で配置されている。そして、グレーティング４及びリレーレンズ５を介してプリズム６に入射した第１のレーザ光は、その一部がプリズム６で反射されて、共通光路１４へ導かれる。
【００２３】
また、第２のレーザ発光素子３から出射された第２のレーザ光を共通光路１４に導くにあたって、第２のレーザ発光素子３からプリズム６に向かう光路上には、第２のレーザ光を３ビームに分割するグレーティング１１が配置されている。そして、グレーティング１１を介してプリズム６に入射した第２のレーザ光は、その一部がプリズム６を透過して、共通光路１４へ導かれる。
【００２４】
ハーフミラー７の側方には、センサレンズ１２と受光素子１３とが配置されており、光ディスク３０で反射された戻り光は、対物レンズ１０、立上げミラー９、コリメータレンズ８を介してハーフミラー７に入射し、その入射光の一部がハーフミラー７を透過してセンサレンズ１２と受光素子１３に向けて導かれるように構成されている。すなわち、本形態では、ハーフミラー７は光路分離用素子である。
【００２５】
リレーレンズ５は、グレーティング４を介して入射される第１のレーザ光の発散角よりも小さい発散角のレーザ光をプリズム６に対して出射する正のパワーを有している。このリレーレンズ５とグレーティング４と第１のレーザ発光素子２とは後述のように一体化されている。
【００２６】
センサレンズ１２は、光ディスク３０からの戻り光に対して非点収差を発生させるとともに、戻り光の倍率（光ディスク３０上のスポットに対する受光素子１３上のスポットの倍率）を約８倍から１７倍まで上げ、かつ、ハーフミラー７で発生するコマ収差を補正している。このセンサレンズ１２によって、受光素子１３上に円形で大きなスポットが形成され、品質の良いフォーカシングサーボ信号及びトラッキングサーボ信号を得ることができるようになっている。
【００２７】
本形態において、第１のレーザ発光素子２から出射された第１のレーザ光に対する光学系では、リレーレンズ５の影響を考慮しない場合の出射光の倍率（光ディスク３０上のスポットに対する第１のレーザ発光素子２の発光点の倍率）は約４倍であり、対物レンズ１０の開口数（ＮＡ）が約０．５となっている。一方、第２のレーザ発光素子３から出射された第２のレーザ光に対する光学系では、出射光の倍率（光ディスク３０上のスポットに対する第２のレーザ発光素子３の発光点の倍率）が約５．５〜７倍であり、対物レンズ１０のＮＡが０．６〜０．６８となっている。また、リレーレンズ５の影響を考慮した場合の第１のレーザ発光素子２からの出射光の倍率は第２のレーザ発光素子３の出射光の倍率とほぼ同程度となっており、リレーレンズ５を用いることで、第１のレーザ発光素子２及び第２のレーザ発光素子３の光学系に共通光路１４を利用できるようになっている。
【００２８】
また、光ヘッド装置１は、対物レンズ１０をフォーカシング方向（Ｚ方向）及びトラッキング方向（Ｘ方向）へ駆動する対物レンズ駆動装置１６を備えており、フレーム１５の上面側に取り付けられている。対物レンズ駆動装置１６は、トラッキング駆動コイル、トラッキング駆動磁石やフォーカシング駆動コイル、フォーカシング駆動磁石等を備えるが、その構成は周知の構成であるため、詳細な説明は省略する。
【００２９】
本形態におけるフレーム１５は、例えば、ダイキャストで成形されたアルミ製のフレームであり、底面側に光学系３１の一部が搭載される凹部１５ｃを備えている（図４参照）。この凹部１５ｃには、プリズム６、ハーフミラー７、コリメータレンズ８、立上げミラー９等の光学系３１を構成する光学素子の一部が固定されている。また、フレーム１５には、第１のレーザ発光素子２を固定するための固定部１５ａと、第２のレーザ発光素子３を固定するための固定部１５ｂとが側面に形成されている。この固定部１５ａと固定部１５ｂとは互いに直交するように形成されている。
【００３０】
フレーム１５の固定部１５ａには、ホルダ１８によって第１のレーザ発光素子２とグレーティング４とリレーレンズ５とが一体化されたレーザ発光ユニットが接着で固定されている。具体的には、ホルダ１８が、間隙を介して固定部１５ａに固定されている。ホルダ１８と固定部１５ａとの間に間隙が形成されることから、第１のレーザ光の光軸方向で、ホルダ１８の固定位置の調整が可能となっている。また、第１のレーザ光の光軸方向に直交する方向でも、ホルダ１８の固定位置の調整は可能となっている。
【００３１】
また、フレーム１５の固定部１５ｂには、第２のレーザ発光素子３が、ホルダ２６に保持された状態で、フレーム１５に面接触させた伝熱性を有する平板状のプレート２７を介して接着固定されている。
【００３２】
第１のレーザ発光素子２の出射面と反対側となる端子側には、第１のレーザ発光素子２に生じる発熱を放散する放熱板１９が配設されている。具体的には、第１のレーザ発光素子２と放熱板１９とは間隙を介して配設されている。この第１のレーザ発光素子２と放熱板１９との間隙には、伝熱性を有するゲル状の伝熱部材または、伝熱性を弾性を有する伝熱部材が充填されている。具体的には熱伝導性グリースであるシリコングリースが充填されている。
【００３３】
放熱板１９は、銅またはアルミ等の伝熱性の高い金属の平板を曲げ加工ですることで形成されており、基部１９ａと、フレーム１５への取付部１９ｂ、１９ｃとを備えている（図１参照）。取付部１９ｂ及び取付部１９ｃは、フレーム１５に面接触した状態で接着固定されており、放熱板１９の熱をフレーム１５へ放散できるようになっている。また、放熱板１９の基部１９ａには、第１のレーザ発光素子２の端子との短絡を防止するための開口部１９ｄが形成されている（図１参照）。さらに、基部１９ａの上端からは、放熱部１９ｅがフレーム１５の上面側すなわち光ディスク３０側に延設されている。放熱部１９ｅを光ディスク３０側に備えることで、光ディスク３０の回転によって生じる対流を利用して、放熱板１９の熱を効果的に放散することができるようになっている。
【００３４】
フレーム１５の底面には、第１のレーザ発光素子２及び第２のレーザ発光素子３を駆動するレーザドライバ２２が載置された回路基板２３が取り付けられている（図４参照）。
【００３５】
また、フレーム１５の底面側には、凹部１５ｃに固定されたプリズム６等の光学素子を保護するためのカバー３２が固定されている（図６参照）。カバー３２は、ステンレス鋼板から平板状に形成されており、フレーム１５に固定するための固定部３２ａがＺ方向へ延設されている。このカバー３２は、凹部１５ｃの全部と回路基板２３の一部を覆うように、取付ねじ３４と固定部３２ａとによってフレーム１５に固定されている。
【００３６】
（レーザドライバの放熱構造）
本形態における光ヘッド装置１では、レーザドライバ２２に生じる発熱は、放熱体としての放熱板３３によって放散されている。放熱板３３は、カバー３２とは別体で構成されており、カバー３２とは接触しない状態で、レーザドライバ２２の表面に接触するように固定されている（図５、６参照）。
【００３７】
本形態における放熱板３３は、銅製またはアルミ製の金属板を曲げ加工することで形成されており、レーザドライバ２２に生じる発熱を吸収する吸熱部３３ａと、吸熱部３３ａで吸収された吸熱を放散する放熱部３３ｂと、フレーム１５に固定される固定部３３ｃとを備えている。吸熱部３３ａと放熱部３３ｂと固定部３３ｃとは、この順番で連設されている。すなわち、放熱部３３ｂを挟んで吸熱部３３ａと固定部３３ｃとが配設されている。
【００３８】
より具体的には、放熱板３３がフレーム１５に固定された状態では、吸熱部３３ａは、レーザドライバ２２の表面に接触するようにＸＹ平面に平行に形成されている。放熱部３３ｂは、吸熱部３３ａのＹ方向端からＺ方向に延設されＸＺ平面に平行に形成された第１放熱部３３ｂ１と、この第１放熱部３３ｂ１のＺ方向端（図示上端）からＸ方向に延設されＸＹ平面に平行に形成された第２放熱部３３ｂ２とから形成されている。固定部３３ｃは、第２放熱部３３ｂ２の、第１放熱部３３ｂ１からの延設方向におけるＸ方向端から、吸熱部３３ａに向かってＺ方向に延設されＹＺ平面に平行に形成されている。従って、放熱板３３を展開した平面状態では、一端側に吸熱部３３ａが配設され、他端側に固定部３３ｃが配設されている。また、固定部３３ｃは、吸熱部３３ａ及び放熱部３３ｂと比較して幅狭に形成されている。
【００３９】
放熱板３３は、固定部３３ｃの先端部（図示下端部）がフレーム１５に対して接着されるとともに、吸熱部３３ａがレーザドライバ２２に接着されて、固定されている。放熱板３３がフレーム１５に固定された状態では、放熱部３３ｂの一部である第２放熱部３３ｂ２は、フレーム１５の上面側すなわち光ディスク３０側に配置されている。また、放熱板３３がフレーム１５に固定された状態では、固定部３３ｃの先端部のみがフレーム１５に接触するように構成されており、固定部３３ｃの先端部以外の部分及び放熱部３３ｂと、フレーム１５との間には、所定の間隙が設けられている。
【００４０】
（本形態の効果）
以上説明したように、本形態における光ヘッド装置１では、レーザドライバ２２に生じる発熱を放散する放熱板３３が、カバー３２とは別体で構成され、カバー３２とは接触しない状態で固定されている。そのため、光学系３１の一部を適切に保護すべく、フレーム１５の凹部１５ｃの全部を覆うようにカバー３２を形成しても、フレーム１５全体の温度上昇や、カバー３２に覆われるように配置された光学素子の温度上昇を抑制することができる。その結果、レーザドライバ２２に生じる発熱による光学素子の位置ずれを防止し、レーザドライバ２２の発熱による光学特性への影響を抑制することができる。
【００４１】
また、レーザドライバ２２によるフレーム１５の温度上昇を抑制することができるため、第１のレーザ発光素子２あるいは第２のレーザ発光素子３に生じる発熱を、放熱板１９あるいはプレート２７を介して、フレーム１５へ逃がすことが可能となる。その結果、第１のレーザ発光素子２及び第２のレーザ発光素子３の温度を下げることが可能となる。尚、レーザドライバ２２の発熱量と比較して、第１のレーザ発光素子２及び第２のレーザ発光素子３の発熱量は少ないため、第１のレーザ発光素子２及び第２のレーザ発光素子３の発熱をフレーム１５へ逃がしても、光学素子への影響はほとんど無視できる。
【００４２】
本形態では、カバー３２は、ステンレス鋼板であり、放熱板３３は、銅またはアルミ製の金属板である。そのため、剛性のあるステンレス鋼板によって、光学系３１の一部が適切に保護されるとともに、ステンレス鋼板よりも放熱性の高い銅板またはアルミ板によってレーザドライバ２２に生じる発熱を効果的に放散することができる。
【００４３】
本形態では、放熱板３３は、レーザドライバ２２に生じる発熱を吸収する吸熱部３３ａと、吸熱部３３ａで吸収された吸熱を放散する放熱部３３ｂと、フレーム１５に固定される固定部３３ｃとを備えている。そして、放熱部３３ｂの一部を構成する第２放熱部３３ｂ２が光ディスク３０側に配置されている。そのため、光ディスク３０の回転によって対流が発生し、吸熱部３３ａで吸収された吸熱を放熱部３３ｂ、特に第２放熱部３３ｂ２において効果的に放散することができる。
【００４４】
また、本形態では、吸熱部３３ａ及び放熱部３３ｂと比較して幅狭に形成された固定部３３ｃにおいてのみ、フレーム１５に接触している。より具体的には、固定部３３ｃの先端部のみがフレーム１５に接触している。そのため、放熱板３３とフレーム１５との接触面積を小さくすることができる。従って、放熱板３３を安定させるため、放熱板３３の一部をフレーム１５に固定する構成を採用しても、フレーム１５の温度上昇を抑制することができる。
【００４５】
さらに、本形態では、放熱部３３ｂを挟んで吸熱部３３ａと固定部３３ｃとが配設されている。フレーム１５に固定される固定部３３ｃでは、放熱板３３とフレーム１５とが接触し、放熱板３３の熱がフレーム１５へ伝達されることになるが、放熱部３３ｂを挟んで吸熱部３３ａと固定部３３ｃとを配設することで、吸熱部３３ａで吸収された吸熱は放熱部３３ｂで放熱されて、固定部３３ｃへの熱の伝達量は少なくなる。その結果、フレーム１５へ伝達される熱量を減少させることができる。
【００４６】
特に、本形態では、放熱板３３は、展開状態で、一端側に吸熱部３３ａが配設されるとともに、他端側に固定部３３ｃが配設されている。すなわち、吸熱部３３ａと固定部３３ｃとが放熱板３３上で最も離れた位置に配設されることになる。そのため、吸熱部３３ａで吸収された吸熱の固定部３３ｃへの伝達量は少なくなる。その結果、放熱板３３とフレーム１５とが接触する固定部３３ｃにおいても、放熱板３３からフレーム１５へ伝達される熱量を抑制することができる。
【００４７】
（他の実施の形態）
上述した形態は、本発明の好適な形態の一例ではあるが、これに限定されるものではなく本発明の要旨を変更しない範囲において種々変形可能である。例えば、放熱板３３の放熱部３３ｂの一部がガイドシャフト２４に接触するように構成しても良い。こうすることで、放熱部３３ｂの放熱効果を上げることができる。また、放熱板３３は、必ずしも放熱部３３ｂを備える必要はなく、吸熱部３３ａのみから形成されていても良い。一方で、放熱板３３を吸熱部３３ａと第１放熱部３３ｂ１とのみから構成しても良い。
【００４８】
さらに、上述した形態では、放熱板３３は直接、レーザドライバ２２に接着固定されていたが、伝熱性を有する伝熱シートを介してレーザドライバ２２に固定するようにしても良い。
【００４９】
さらにまた、上述した形態では、放熱体として薄板状の放熱板３３を用いたが、放熱体は必ずしも薄板状の放熱板である必要はなく、例えば、ブロック状に形成された放熱体であっても良い。
【図面の簡単な説明】
【００５０】
【図１】本発明の実施の形態にかかる光ヘッド装置をトラッキング方向から見た斜示図である。
【図２】図１に示す光ヘッド装置をジッタ方向から見た斜示図である。
【図３】図１に示す光ヘッド装置の光学系の構成を説明する説明図である。
【図４】図１に示す光ヘッド装置のカバーを取り外した状態での底面を示す底面図である。
【図５】図１に示す光ヘッド装置のトラッキング方向の側面を示す側面図である。
【図６】図１に示す光ヘッド装置の底面を示す底面図である。
【図７】従来技術にかかる光ヘッド装置のカバーを取り外した状態での底面を示す底面図である。
【図８】従来技術にかかる光ヘッド装置の底面を示す底面図である。
【図９】従来技術にかかる光ヘッド装置におけるレーザドライバの放熱構造を示す部分側面図である。
【符号の説明】
【００５１】
１  光ヘッド装置
２  第１のレーザ発光素子（レーザ発光素子）
３  第２のレーザ発光素子（レーザ発光素子）
１５  フレーム
２２  レーザドライバ
３０  光ディスク
３１  光学系
３２  カバー
３３  放熱板（放熱体）
３３ａ  吸熱部
３３ｂ  放熱部
３３ｃ  固定部
【図１】
2005332465.tif 000003
【図２】
2005332465.tif 000004
【図３】
2005332465.tif 000005
【図４】
2005332465.tif 000006
【図５】
2005332465.tif 000007
【図６】
2005332465.tif 000008
【図７】
2005332465.tif 000009
【図８】
2005332465.tif 000010
【図９】
2005332465.tif 000011